(57)【要約】【課題】撮影前の写真データに対して印象判定を行い、予めその印象を表示することができる画像撮影装置を提供する。【解決手段】画像撮影装置１００は、光学系１０７及び光学系１０７で結像された被写体の像を撮像する撮像素子１０８，１０９を備え、撮像素子１０８，１０９で撮像された像を画像データをとして出力する撮像部１１５と、画像データの印象を判定する印象判定部１１９と、印象判定部１１９により判定された印象を表示する表示部１１０，１１１と、操作部１１０，１１１が操作されたことを検出して、撮像部１１５により画像データを取得し、さらに、印象判定部１１９により画像データの印象を判定して、当該印象を表示部に表示する制御部１１２と、を有する。【選択図】図１
2010219711.tif 000002
【特許請求の範囲】
【請求項１】
光学系及び当該光学系で結像された被写体の像を撮像する撮像素子を備え、前記撮像素子で撮像された前記像を画像データとして出力する撮像部と、
前記画像データの印象を判定する印象判定部と、
前記印象判定部により判定された前記印象を表示する表示部と、
前記撮像部により前記像の画像データを取得するタイミングを指示する操作部と、
前記操作部が操作されたことを検出して、前記撮像部により前記画像データを取得し、さらに、前記印象判定部により前記画像データの前記印象を判定して、当該印象を前記表示部に表示する制御部と、を有する画像撮影装置。
【請求項２】
前記光学系の焦点による前記被写体の像を前記撮像素子上で合焦させるための合焦部を有し、
前記制御部は、前記操作部が操作されたときに、前記合焦部により前記合焦させた後、前記撮像部により前記画像データを取得し、かつ、前記印象判定部により、前記画像データのうち、前記合焦部が合焦に利用した前記被写体中のエリアを含む所定の領域を用いて前記印象の判定を行うように構成された請求項１に記載の画像撮影装置。
【請求項３】
前記制御部は、前記画像データ全体を用いて前記印象の判定を行った結果と、前記画像データのうち、前記合焦部が合焦に利用した前記被写体中のエリアを含む所定の領域を用いて前記印象の判定を行った結果とから、重み付け平均値を算出し、当該平均値を前記画像データの前記印象とする請求項２に記載の画像撮影装置。
【請求項４】
前記画像データを記憶する記憶部を有し、
前記制御部は、前記画像データに、前記印象を関連付けて前記記憶部に記憶するように構成された請求項１〜３いずれか一項に記載の画像撮影装置。
【請求項５】
前記制御部は、前記表示部に前記画像データの前記印象判定結果をグラフ化して表示する請求項１〜４のいずれか一項に記載の画像撮影装置。
【請求項６】
前記制御部は、前記撮像素子で撮像された前記像を前記画像データとして前記記憶部に記憶する際の条件を撮影条件として当該画像データと共に前記記憶部に記憶し、前記記憶部から任意の前記印象判定結果を有する前記画像データの前記撮影条件を抽出し、当該撮影条件に基づいて前記撮影素子で撮像された像を前記撮像部により画像データとして出力されると前記記憶部に記憶する構成を有する請求項１〜５のいずれか一項に記載の画像撮影装置。
【請求項７】
前記制御部は、前記画像データの前記印象判定結果の内で任意の印象判定結果を有する前記画像データを抽出して前記表示部に表示する構成を有する請求項１〜６のいずれか一項に記載の画像撮影装置。
【発明の詳細な説明】
【技術分野】
【０００１】
本発明は、画像撮影装置に関する。
【背景技術】
【０００２】
たとえば、デジタルカメラの使用者は、このデジタルカメラの表示部に撮影済みの写真を複数表示したり、その中から１つを選定しプリントしたり、写真（画像）のデータを友人に送信したりしている。そして、写真（画像）データをプリントや送信する場合は、使用者、当人だけでなく、第三者が、その写真（画像）を閲覧することが多い。また、証明写真機やプリントシール機で撮影された写真（画像）データは、第三者に提出または渡すことが主目的であり、特に、証明写真においては、就職・転職活動に利用されることが多い。このため、撮影された写真（画像）から得られる印象は非常に重要である。ここで、写真（画像）を選択する方法としては、システム側（ソフトウェア、画像表示装置など）からＥｘｉｆ情報、色・彩度情報などが与えられて選択する方法がある。上記のような情報で選択した場合でも、選択した使用者（本人）は、第三者がその写真（画像）を見たときに受ける印象（印象語）を知ることはできない。そして、近年の写真（画像）のデジタル化やデジタルカメラの連続写真撮影の速度等の性能向上により、膨大な枚数の写真（画像）を撮ることが可能である。このようなデジタル化された膨大な枚数の写真（画像）毎に印象を調べることは非常に手間であり、また、膨大な写真（画像）からある印象を持った写真（画像）を表示部等に表示させたい場合には、印象（印象語）から写真（画像）の検索が行える手段が必要である。
【先行技術文献】
【特許文献】
【０００３】
【特許文献１】特開２００７−２３３５８４号公報
【発明の概要】
【発明が解決しようとする課題】
【０００４】
印象判定の方法としては、例えば、文書情報のキーワードを元に印象を判定する方法（例えば、特許文献１参照）や、写真（画像）の全体から印象を判定する方法等が知られている。ところで、写真（画像）全体から印象を導き出す場合において、その写真（画像）の中で最も重要な部分の面積が小さい場合には、印象判定の精度が下がるという課題があった。本発明は、このような事情に鑑みてなされたものであり、撮影前の写真（画像）に対して、撮影前に印象判定を行い、予めその印象を表示することができる画像撮影装置を提供することを目的とする。
【課題を解決するための手段】
【０００５】
前記課題を解決するため、本願発明の画像撮影装置は、光学系及び当該光学系で結像された被写体の像を撮像する撮像素子を備え、撮像素子で撮像された像を画像データとして出力する撮像部と、画像データの印象を判定する印象判定部と、印象判定部により判定された印象を表示する表示部と、撮像部により像の画像データを取得するタイミングを指示する操作部と、操作部が操作されたことを検出して、撮像部により画像データを取得し、さらに、印象判定部により画像データの印象を判定して、当該印象を表示部に表示する制御部と、を有する。
【０００６】
このような画像撮影装置において、光学系の焦点による被写体の像を撮像素子上で合焦させるための合焦部を有し、制御部は、操作部が操作されたときに、合焦部により合焦させた後、撮像部により画像データを取得し、かつ、印象判定部により、画像データのうち、合焦部が合焦に利用した被写体中のエリアを含む所定の領域を用いて印象の判定を行うように構成されることが好ましい。
【０００７】
このような画像撮影装置において、制御部は、画像データ全体を用いて印象の判定を行った結果と、画像データのうち、合焦部が合焦に利用した被写体中のエリアを含む所定の領域を用いて印象の判定を行った結果とから、重み付け平均値を算出し、当該平均値を画像データの印象とすることが好ましい。
【０００８】
このような画像撮影装置は、画像データを記憶する記憶部を有し、制御部は、画像データに、印象を関連付けて記憶部に記憶するように構成されていることが好ましい。
【０００９】
このような画像撮影装置において、制御部は、表示部に画像データの印象判定結果をグラフ化して表示する構成を有することが好ましい。
【００１０】
このような画像撮影装置において、制御部は、撮像素子で撮像された像を画像データとして記憶部に記憶する際の条件を撮影条件として当該画像データと共に記憶部に記憶し、記憶部から任意の印象判定結果を有する画像データの撮影条件を抽出し、当該撮影条件に基づいて撮像素子で撮像された像を撮像部により画像データとして出力されると記憶部に記憶する構成を有することが好ましい。
【００１１】
このような画像撮影装置において、制御部は、画像データの印象判定結果の内で任意の印象判定結果を有する画像データを抽出して表示部に表示する構成を有することが好ましい。
【発明の効果】
【００１２】
本発明によれば、撮影前の写真（画像）データに対して印象判定を行い、予めその印象を表示することができる。
【図面の簡単な説明】
【００１３】
【図１】本発明の実施の形態の画像撮影装置の構成を示す図である。
【図２】画像データファイルのデータ構成を示すデータ構造図である。
【図３】印象判定の際のデータであり（ａ）予め設定された印象タイプテーブルであり、（ｂ）各印象タイプにおける印象判定の結果である印象度合いファイルのデータ構造図である。
【図４】オートフォース後の画像処理の工程を示すフローチャートである。
【図５】１つの画像の印象判定の結果を表示しているタッチパネルＬＣＤの画面構成図である。
【図６】画面の焦点領域を示すための説明図である。
【図７】印象判定処理の工程を説明するためのフローチャートである。
【図８】印象判定処理における印象判定領域を示す図であり（ａ）焦点領域モードの場合であり（ｂ）全領域モードの場合である。
【図９】画像の印象表示を説明するためのフロー図である。
【図１０】タッチパネルＬＣＤに画像の一覧をサムネイル表示した場合の画面構成例である。
【図１１】タッチパネルＬＣＤに画像の一覧をサムネイル表示と印象タイプを表示した場合の画面構成例である。
【図１２】タッチパネルＬＣＤに画像の一覧から１つの印象タイプを選択して表示した場合の画面構成例である。
【図１３】タッチパネルＬＣＤに画像と各印象タイプの度合いをレーダーチャートで表示した場合の画面構成例である。
【図１４】タッチパネルＬＣＤに１つの画像と印象タイプを拡大表示した場合の画面構成例である。
【図１５】タッチパネルＬＣＤに１つの印象タイプを指定してその印象タイプを有する画像と各印象タイプの度合いをレーダーチャートで表示した場合の画面構成例である。
【発明を実施するための形態】
【００１４】
以下、本発明の好ましい実施形態について図面を参照して説明する。図１は、本発明の実施の形態の一例である画像撮影装置１００の概要を示す図である。
【００１５】
画像撮影装置１００は、具体的には、デジタルカメラ等であり、光学系であるレンズ１０７、撮像素子であるイメージセンサー１０８及び信号処理部１０９、表示部であるＬＣＤ制御部１１０及びタッチパネルＬＣＤ１１１、ＣＰＵ１１２、シャッターボタン２０１等を有する操作部１１３、合焦部１１４、画像処理部１１５、メモリコントローラ１１６、ＤＲＡＭ１１７、メモリカード１１８、印象判定部１１９を有しており、これらが相互に接続されている。ＬＣＤ制御部１１０は、ＣＰＵ１１２からの指示により、レンズ１０７で結像された像をイメージセンサー１０８で取得し、信号処理部１０９で処理された画像データや、後述するように印象判定部１１９が行った画像データの印象判定結果をタッチパネルＬＣＤ１１１に表示する。ＣＰＵ１１２は、マイクロプロセッサであり、画像撮影装置１００で撮影した画像の処理や、画像データの保存などを行う際の指示等を制御するなど、画像撮影装置１００で行う動作全体の制御を司るものとなっている。
【００１６】
画像処理部１１５は、撮像部の一例であり、ＣＣＤ（Ｃｈａｒｇｅ  Ｃｏｕｐｌｅ  Ｄｅｖｉｃｅ）／ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等のイメージセンサー１０８で取得して、信号処理部１０９で処理されたデータを撮影条件に応じて、例えば、ＪＰＥＧ画像等の画像データとして生成する。そして、画像処理部１１５は、ＪＰＥＧ画像を作成する際には、撮影時の撮影モードをＥｘｉｆ情報としてこの画像データと共にメモリーカード１１８に格納する。ここで、Ｅｘｉｆ（Ｅｘｃｈａｎｇｅａｂｌｅ  ｉｍａｇｅ  ｆｉｌｅ  ｆｏｒｍａｔ）情報は、日本電子工業振興協会（ＪＥＩＤＡ）で規格されたデータ構造である。ＤＲＡＭ１１７は、揮発性メモリであり、画像撮影装置１００本体の電源が切断されると記憶されている情報も失われるものである。ＤＲＡＭ１１７は、信号処理部１０９で処理された画像データを一時的に記憶する記憶部である。また、メモリカード１１８は、不揮発性メモリであって、一旦、画像データ等が記憶されると、画像撮影装置１００本体の電源が切断されても、記憶された画像データ等を保持することができるようになっており記憶部として機能する。印象判定部１１９は、ＤＲＡＭ１１７に一時的に記憶された画像データに対して印象判定を行い、メモリコントローラ１１６はその印象判定の結果を一時的にＤＲＡＭ１１７に記憶する。そして、ＬＣＤ制御部１１０は、ＣＰＵ１１２から、この印象判定の結果を画像データと共に受け取ると、タッチパネルＬＣＤ１１１に表示する。この時、操作部１１３のシャッターボタン２０１が押されると、ＣＰＵ１１２は、撮像動作を命令し撮影された画像データをメモリコントローラ１１６に画像データと判定結果をＤＲＡＭ１１７に一時的に記憶するとともに印象判定を行い、一時的に記憶した画像データをＤＲＡＭ１１７から読み出しメモリカード１１８に記憶するように指示する。すると、メモリコントローラ１１６は、画像データとその判定結果を関連付けてメモリカード１１８に記憶する。また、印象判定部１１９は、メモリカード１１８に記憶されている撮影済みの画像データに対しても印象判定を行うことができ、その結果は、タッチパネルＬＣＤ１１１に表示され、撮影済みの画像データのＥｘｉｆ情報に書き込みされる。
【００１７】
メモリカード１１８に記憶される画像データは、図２のようなデータ構造を有する画像データファイル１２０で管理されており、この画像データファイル１２０は、画像のファイル名が記憶される画像ファイル名カラム１２０ａと、画像が記憶される画像カラム１２０ｂと、この画像の撮影時刻情報やホワイトバランス、露出、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ（国際標準化機構））感度等の撮影情報が記憶される撮影情報カラム１２０ｃと、画像データの印象判定の結果を記憶する印象情報カラム１２０ｄと、を有している。また、メモリカード１１８には、図３（ａ）に示すような印象タイプテーブル１２１及び図３（ｂ）に示す印象度合いファイル１２２を有している。この印象タイプテーブル１２１は、予め、いくつかの印象タイプが設定されており、この印象タイプ毎に番号が設定されおり、その番号が設定される番号データカラム１２１ａと、印象タイプが設定される印象タイプ情報カラム１２１ｂとを有している。そして、画像データファイル１２０の印象情報カラム１２０ｄに記憶されている印象判定の結果は、該当する印象タイプに対する番号で指定され記憶されている。
【００１８】
印象判定部１１９は、画像データの特徴量を抽出し、印象タイプテーブル１２１に設定された印象タイプ毎に、その印象タイプに対する度合いを数値データとして算出し、その中から相対的に一番高い数値データを有する印象タイプを、その画像データに対する印象としている。この画像データは、画像データファイル１２０で管理され、ＪＰＥＧファイル形式でメモリカード１１８に保存され、この画像データ毎の各印象タイプに対する判定結果は、上述の図３（ｂ）に示すようなデータ構造を有する印象度合いファイル１２２に記憶される。この印象度合いファイル１２２は印象タイプ毎にその値（最大値は１００点）を格納しており、印象タイプを格納する印象タイプデータカラム１２２ａと、その印象タイプに対する数値データである印象度合い（印象ポイント）データカラム１２２ｂとを有する。そして、そのうち最も高い値（高い得点）の印象タイプが、その画像を示す印象となる。これにより、後述するように、画像の印象タイプ毎の印象度合いが得点で数値として記憶される。これをもとに各印象タイプはグラフ化して表示できる。なお、以降の説明では、画像撮影装置１００における表示部としてのタッチパネルＬＣＤ１１１に判定結果を表示する場合について説明するが、本発明がこの構成に限定されることはなく、画像撮影装置１００に接続された表示部に表示するようにしても良いことは言うまでもない。
【００１９】
本実施形態の画像撮影装置１００は、撮影前の画像（画像データとして取り込まれる前の画像）に対して、つまり、合焦部１１４により被写体に合焦させた後（オートフォーカス（ＡＦ）動作後）に印象判定を行うようになっており、その印象判定の結果を表示部に表示する。このため、使用者は撮影しようとする画像の印象を確認した後に撮影することができる。
【００２０】
（オートフォーカス動作後の処理フロー）
それでは次に、画像撮影装置１００のオートフォーカス（以下、ＡＦ）動作後の処理の工程について、図４のフローチャートを示して説明する。使用者によって画像撮影装置１００のシャッターボタン（レリーズスイッチ）２０１が半押されると、シャッターボタン（レリーズスイッチ）２０１から信号が出力され、ＣＰＵ１１２は、この信号を検出することにより、シャッターボタン（レリーズスイッチ）２０１が半押しされたか否かを判断する（ステップＳＴ１０）。半押しされたと判断されると、ＣＰＵ１１２は、画像撮影装置１００を撮影モードに移行させ、測光し、露出や焦点処理を行い（ステップＳＴ１１）、レンズ１０７により結像した被写体の像をイメージセンサー１０８で取得し信号処理部１０９で処理して撮影する。そして、画像処理部１１５は、撮影した像の画像データをＤＲＡＭ１１７に記憶する（ステップＳＴ１２）。
【００２１】
ＣＰＵ１１２は、印象判定部１１９に対し、ＤＲＡＭ１１７に記憶された画像データに対して、後述する印象判定処理を実行するように指示をする（ステップＳＴ１３）。すると、印象判定部１１９は、図３（ａ）の印象タイプテーブル１２１に設定された印象タイプのうち、どのタイプに属する印象となるかの判断を行い、その画像に対しての印象タイプを決定し、その結果をＣＰＵ１１２に返す（ステップＳＴ１３）。そして、ＣＰＵ１１２は、その結果と画像データとをＬＣＤ制御部１１０に渡す。すると、ＬＣＤ制御部１１０は、図５に示すように、その印象判定の結果と、画像データとをタッチパネルＬＣＤ１１１に表示する（ステップＳＴ１４）。図５では、印象判定の結果が印象判定表示Ｍ（ここでは、例えば、「Ｆｒｅｓｈ７５点」）に表示されている。また、タッチパネルＬＣＤ１１１の略中央部の略四角形の領域は、この画像データのフォーカスポイント２０５ａを表している。このフォーカスポイント２０５ａは、光学系であるレンズ１０７の焦点を被写体に合わせるための合焦部１１４を合焦に利用したエリアであり、図６に示すように、タッチパネルＬＣＤ１１１に表示される撮影領域において、短手方向の約半分の位置であって、長手方向に等間隔に３カ所設定されている。そして、フォーカスポイント２０５ａを含む所定の領域を対象として印象判定を行う。つまり、図８（ａ）に示すようにフォーカスポイント２０５ａを含む一定の領域で切り出された領域（焦点領域Ｎ）を印象判定領域として用いて印象判定を行うことができる。また、上述のステップＳＴ１０〜ＳＴ１４は、シャッターボタン（レリーズボタン）２０１が半押しされている間繰り返され、本実施の形態の画像撮影装置１００は、シャッターボタン（レリーズボタン）２０１が半押しされている間繰り返し印象判定を行う。
【００２２】
そして、ＡＦ後の印象判定が行われて表示された後に、シャッターボタン（レリーズスイッチ）２０１が充分に押し込まれると、ＣＰＵ１１２は、シャッター（不図示）の開閉動作を行わせ再度画像を取得しＤＲＡＭ１１７に記憶させる。メモリコントローラ１１６にＤＲＡＭ１１７に一時的に記憶された画像のデータをメモリカード１１８に記憶するように指示する。メモリコントローラ１１６は、その画像データ及びその画像データの印象判定の結果を、メモリカード１１８における上述した図２の画像データファイル１２０及び図３（ｂ）の印象度合いファイル１２２に記憶する。このように、画像撮影装置１００は、ＡＦ動作後に画像の印象判定を行い、その結果を表示するので、使用者は、画像の印象を確認しつつ、撮影を行うことができる。また、印象判定の結果は、画像データと共にメモリカード１１８に記憶されるので、使用者は印象判定の結果に基づいて、記憶されている画像データの検索を行うこともできる。
【００２３】
（印象判定処理）
上述のＡＦ後の処理フローのステップＳＴ１３でＣＰＵ１１２が、印象判定部１１９に対し印象判定の指示をすると、印象判定部１１９は、図７の印象判定処理の工程に移り、ＤＲＡＭ１１７に一時的に記憶されている画像データに対して印象判定を実行する。この時、印象判定部１１９は、タッチパネルＬＣＤ１１１に印象判定を行う領域モードの選択画面を表示し、使用者に対して領域モードの選択を促す（ステップＳＴ１３０）。つまり、タッチパネルＬＣＤに、画像データの印象判定を行う領域モードとして、焦点領域モード、全領域モード、又は両者の組み合わせモードのいずれかの選択が行えるような表示がされるので、使用者は操作部１１３のメニュー＆決定ボタン２０３を操作して、いずれかのモードを選択する。そして、操作部１１３からモード選択の信号が出力されると、ＣＰＵ１１２は、その信号に基づいて、印象判定部１１９に、選択されたモードで印象判定を行うように指示する（ステップＳＴ１３１）。すると、印象判定部１１９は、選択されたモードで画像データに対して印象判定を行う。
【００２４】
たとえば、ステップＳＴ１３０で、焦点領域モードが選択されると、ＣＰＵ１１２は、印象判定部１１９に焦点領域モードで画像データに対する印象判定を行うように指示する（ステップＳＴ１３１）。焦点領域モードで印象判定を行う場合、例えば、上述で説明したように、図６で示すフォーカスポイント２０５ａが３点設定されており、その画像データの撮影の際に使用されたフォーカスポイント２０５ａが中央である場合を例に説明する。この場合、図８（ａ）に示すように、タッチパネルＬＣＤ１１１に表示される画像データにおいて、略中央部の領域に位置するフォーカスポイント２０５ａを中心とした一定の範囲を切り出した領域（焦点領域Ｎ）を印象判定領域とし、この印象判定領域に対して、印象判定部１１９が印象判定を行う（ステップＳＴ１３２）。ここで、印象判定の手法は、具体的には、例えば、Ａｄａｂｏｏｓｔを用いた手法が挙げられる。Ａｄａｂｏｏｓｔを用いた手法により複数の学習画像を用いて、図３（ａ）で示す印象タイプについて予め学習された学習結果を参照して印象判定を行うことができる。この場合、印象判定部１１９は、上述の印象判定領域を対象として、印象判定を行うので、Ａｄａｂｏｏｓｔの学習に適用することができるようにするために、印象判定領域に対して、Ａｄａｂｏｏｓｔの手法による学習画像のアスペクト比と同一なサイズにリサイズを行う。次に、印象判定部１１９は、印象判定領域（焦点領域Ｎ）に対し、特徴量を算出し、Ａｄａｂｏｏｓｔの手法を用いた印象判定を行い、図３（ｂ）に示すように各々の印象タイプに対する割合を数値として算出する。
【００２５】
そして、ステップＳＴ１３３に進み、ＬＣＤ制御部１１０は、各印象タイプにおいて、相対的に数値データの最も大きい印象タイプをタッチパネルＬＣＤ１１１に画像と共に表示する（図５参照）。この焦点領域モードによる印象判定によれば、画像を撮影する際のフォーカスポイント２０５ａを中心とする領域（焦点領域Ｎ）で印象判定を行うので、背景などの余分な情報が排除される。更に、フォーカスポイント２０５ａの周辺の画像はユーザーの撮影しようとしている画像であり、そのような画像の周辺に特徴がある可能債が高い。このため、印象判定部１１９により、印象判定を行う際に、高精度の判定を行うことができる。また、判定する領域も図８（ｂ）に示す全領域Ｎ２を対象とする場合よりも、高速で判定処理を行うことができる。このため、この画像撮影装置１００によれば、使用者が画像を撮影しようとする際に、容易にその画像の印象を示すことが可能となり、使用者が所望の印象を有する画像を選択して撮影することができる。また、後述するように、この印象判定の結果は、メモリカード１１８に画像データと共に記憶されるので、画像データを閲覧や印刷等する際に所望の印象を有する画像データを選択しやすい。また、上述の焦点領域モードでは、フォーカスポイント２０５ａを含む３つの領域に分割して、その１つを印象判定領域として印象判定を行っている場合を説明しているが、これに限らず、フォーカスポイント２０５ａ周辺の領域を印象判定領域として印象判定を行うように設定してもよい。
【００２６】
また、ステップＳＴ１３０で、全領域モードが選択された場合は、ＣＰＵ１１２は、印象判定部１１９に全領域域モードで画像データに対する印象判定を行うように指示する（ステップＳＴ１３１）。全領域モードで印象判定を行う場合は、図８（ｂ）に示すように画像データの全ての領域（全領域Ｎ２）を使って印象の判定を行う（ステップＳＴ１３４）。印象判定部１１９は、画像データの全領域Ｎ２（図８（ｂ）参照）を印象判定領域として特徴量を算出し、上述したように、Ａｄａｂｏｏｓｔの手法を用いた印象判定を行う。この場合は、学習画像のアスペクト比と印象判定の対象である全領域Ｎ２のアスペクト比は同一のサイズとなるので、リサイズは行わなくても良い。そして、印象判定部１１９は、図３（ｂ）に示すように各印象タイプに対する割合を数値として算出し、ステップＳＴ１３３に進み、タッチパネルＬＣＤ１１１に画像と共に表示する（図５参照）。
【００２７】
あるいは、ステップＳＴ１３０で、組み合わせモードが選択されると、ＣＰＵ１１２は、印象判定部１１９に焦点領域モード及び全領域モードで画像データに対する印象判定を行うように指示する（ステップＳＴ１３１）。すると、印象判定部１１９は、全領域Ｎ２及び焦点領域Ｎをそれぞれ印象判定領域として、上述したような手法により印象判定を行う（ステップＳＴ１３５）。次に、印象判定部１１９はステップＳＴ１３６に進み、焦点領域モード及び全領域モードで判定した印象判定の結果に対し、重みを付けて値の平均化を行う。つまり、印象判定部１１９は、得られた印象タイプの値に対し、焦点領域モードでの印象判定領域と全領域モードでの印象判定領域の面積の比率による重み付けを行う。例えば、図８（ａ），（ｂ）の場合を例に説明する。この場合、焦点領域モードでの印象判定領域（焦点領域Ｎ）の面積は、全領域モードでの印象判定領域（全領域Ｎ２）の面積の半分なので、算出した印象タイプの値に２：１の比率で重み付けを行い、重み付け後の値を平均化して、その印象タイプの値とする。これを各印象タイプで行い、その中で、相対的に値の大きい印象タイプをその画像データの印象とする。ここでは、焦点領域モードを全領域モードよりも重要視する。そして、ステップＳＴ１３３に進み、タッチパネルＬＣＤ１１１に画像と共に表示する（図５参照）。この画像撮影装置１００は、上述の印象判定の工程をＡＦ後の画像に対して常に行い、その結果を表示するので、使用者は、画像の印象を確認しつつ、撮影を行うことができる。
【００２８】
次に、この印象判定の結果を利用して、画像とその印象判定の結果を確認する画面表示について説明する。図９は、タッチパネルＬＣＤ１１１に表示される画面の遷移を説明するための説明図である。通常、図１０に示すように、タッチパネルＬＣＤ１１１の画面には、画像がサムネイル表示されており、画面の左端には、操作指示を行うためのいくつかのタッチパネルボタン２０４ａ〜２０４ｇが表示されている。そこで、使用者が、タッチパネルボタン２０４ａ〜２０４ｇの中かから印象確認ボタン２０４ｄを選択して印象確認のモードを設定すると、ＣＰＵ１１２は、タッチパネルＬＣＤ１１１にサムネイル表示されている画像の印象判定の結果（各画像データの印象タイプ）を、メモリカード１１８に記憶されている画像データファイル１２０を参照して抽出する。次に、ＣＰＵ１１２は、ＬＣＤ制御部１１０にその抽出した各画像データの印象タイプデータをタッチパネルＬＣＤ１１１に表示するように指示する。すると、ＬＣＤ制御部１１０は、タッチパネルＬＣＤ１１１にサムネイル表示されている画像と共に印象判定の結果を表示する（図１１参照）。
【００２９】
それぞれの画像の印象判定の結果の情報は、上述したようにＥｘｉｆタグ情報としてメモリカード１１８に記憶され、予め書き込まれているので、この情報を参照して表示する。ここで、同じような構図の画像であっても、図１１に示すように印象判定の結果が、異なるのは、デジタルカメラ等の画像撮影装置１００で連射機能やオートブラケット撮影を使うと、撮影条件等が異なる場合があるからである。
【００３０】
また、印象制限ボタン２０４ｅが選択され設定されると、タッチパネルＬＣＤ１１１に表示する画像を絞り込むことができる（図１２）。図１２は、印象判定を表示したサムネイル表示（図１１）から共通する印象タイプを有する画像が表示されている画面例である。例えば、図１１の表示から、印象タイプとして「Ｂｒｉｇｈｔ」が選択されると、ＣＰＵ１１２により、「Ｂｒｉｇｈｔ」の印象タイプを有する画像データのみがフィルタリングされ表示される。例えば、ここではファイル名「ＤＳＣ０００１．ｊｐｇ」、「ＤＳＣ０００６．ｊｐｇ」、「ＤＳＣ００１０．ｊｐｇ」の３つの画像データである。
【００３１】
また、図１１の印象判定を表示したサムネイル表示から、３つの画像ずつ表示して、各印象タイプにおける印象の度合いをレーダーチャートで表示する（図１３）。この画像撮影装置１００における印象判定の結果は、印象タイプ毎に数値で算出され、メモリカード１１８の印象度合いファイル１２２に印象タイプごとに記憶されているので、レーダーチャートの形式で、グラフ化して表示することができる。そして、この中で最も高い値の印象タイプがその画像の印象とされ、表示されている画像のファイル名の下に表示されている。例えば、「ＤＳＣ０００５．ｊｐｇ」のファイル名の画像は、印象タイプ「Ｃａｓｕａｌ」が最も高い得点（７５点）であるので、この画像の印象タイプは「Ｃａｓｕａｌ」と表示される。また、画面の下側に表示されている「ＰＲＥＶ」と「ＮＥＸＴ」のボタンはそれぞれ、さらに１つ前の画像または１つ後の画像を表示したい場合に使用される。いま、ファイル名「ＤＳＣ０００６．ｊｐｇ」の画像が指定されており（図面上では、黒枠で囲まれている状態である）、この画像を選択して、拡大ボタン２０４ａが選択されると、図１４に示すように１つの画像データが全画面表示される。ここで、図１４のタッチパネルボタン２０４ａ等の中から再撮影ボタン２０４ｊが選択されると、画像撮影装置１００は、表示されている画像（ここでは、ファイル名「ＤＳＣ０００６．ｊｐｇ」の画像）を撮影した条件と同じ条件で再撮影することができる。この場合、画像撮影装置１００は、メモリカード１１８の画像データファイル１２０の撮影情報カラム１２０ｃを参照する。
【００３２】
また、使用者が図１１の印象判定を表示したサムネイル表示されている画像から、１つの画像を選択すると、ＬＣＤ制御部１１０は、タッチパネルＬＣＤ１１１にその画像と同様の印象タイプを有する画像を３つ選択しファイル名順にその画像とその画像の各印象タイプにおける印象の度合いをレーダーチャートで表示する（図１５）。具体的には、印象タイプ「Ｂｒｉｇｈｔ」である画像データ（ファイル名「ＤＳＣ０００１．ｊｐｇ」、「ＤＳＣ０００６．ｊｐｇ」、「ＤＳＣ００１０．ｊｐｇ」）と、印象タイプ「Ｂｒｉｇｈｔ」の各得点、及び各印象タイプを軸とするレーダーチャートが表示されている。
【００３３】
このように、本実施形態の画像撮影装置１００によれば、ＡＦ後に画像の印象判定を行い、表示部（タッチパネルＬＣＤ１１１）に画像と共に表示し、使用者はその印象を確認して、撮影を行うことができる。又、印象判定を行う場合に、画像の焦点領域Ｎを中心に印象判定を行うことができるので、高速に処理が可能であり、高精度に印象判定を行うこともできる。そして画像の状態により、画像の全領域Ｎ２を対象として、あるいは焦点領域Ｎと全領域Ｎ２とを対象として印象判定を行うことができる。さらに、印象判定の結果は、画像データと共にＥｘｉｆタグ情報として、記憶されているので、印象判定の結果を利用して，同様な印象タイプを有する画像のみを選択して表示することができる。また、画像撮影装置１００は、ある印象タイプを有する画像と同じ条件で再撮影する機能を有しているので、使用者は、気に入った印象の画像データと同様な条件で撮影することができる。ここで、印象判定の結果は、ファインダー内で像と共に重ねて表示するようにしてもよい。
【符号の説明】
【００３４】
１００  画像撮影装置    １０７  レンズ    １０８  イメージセンサー
１０９  信号処理部    １１０  ＬＣＤ制御部    １１１  タッチパネルＬＣＤ
１１７  ＤＲＡＭ    １１８  メモリカード
【図１】
2010219711.tif 000003
【図２】
2010219711.tif 000004
【図３】
2010219711.tif 000005
【図４】
2010219711.tif 000006
【図５】
2010219711.tif 000007
【図６】
2010219711.tif 000008
【図７】
2010219711.tif 000009
【図８】
2010219711.tif 000010
【図９】
2010219711.tif 000011
【図１０】
2010219711.tif 000012
【図１１】
2010219711.tif 000013
【図１２】
2010219711.tif 000014
【図１３】
2010219711.tif 000015
【図１４】
2010219711.tif 000016
【図１５】
2010219711.tif 000017